(57)【特許請求の範囲】
【請求項１】
光軸に対して略垂直方向に移動することによりブレを補正するブレ補正レンズと、
前記ブレ補正レンズを支持するベース部材と、
前記ブレ補正レンズの移動の制限をするロック機構と、
前記ロック機構を駆動するアクチュエータと、
前記ベース部材に延在し前記アクチュエータよりも前記光軸側に設けられる遮蔽部材と、
前記遮蔽部材を補強すると共に前記アクチュエータを支持する補強リブと、
を備えるレンズ鏡筒。
【請求項２】
請求項１に記載のレンズ鏡筒において、
前記ブレ補正レンズの外周に設けられ、そのブレ補正レンズと一体的に移動し、前記ベース部材と重なり合う領域を有するツバ部を更に備え、
前記アクチュエータは、前記重なり合う領域を前記光軸方向に延長した空間に配置されること
を特徴とするレンズ鏡筒。
【請求項３】
請求項１又は請求項２に記載のレンズ鏡筒において、
前記補強リブは、前記ベース部材付近で前記遮蔽部材に接合され、前記光軸方向に延在する矩形板状であること
を特徴とするレンズ鏡筒。
【請求項４】
請求項１又は請求項２に記載のレンズ鏡筒において、
前記補強ノブは、前記光軸を略中心とするリング状部材であり、前記ベース部材から離れて形成されること
を特徴とするレンズ鏡筒。
【発明の詳細な説明】
【０００１】
【発明の属する技術分野】
本発明は、ブレ補正光学系を所定の位置に保持するロック機構を有するレンズ鏡筒に関するものである。
【０００２】
【従来の技術】
図５は、ブレ補正機能を有するレンズ鏡筒の、ブレ補正レンズ群と、それを駆動する駆動ユニットの従来例を示す断面図である。
ベース部材５１，５３は、ビス５６で一体となっている駆動ユニットの基準となる部材である。ブレ補正レンズ群Ｌ１は、ベース部材５１又はベース部材５３を、レンズ鏡筒本体に固定することによって、撮影光学系の一群を構成するように組み込まれている。
【０００３】
保持部材５２は、ブレ補正レンズ群Ｌ１を保持する部材である。この保持部材５２は、複数の突起５２ａが、ベース部材５１の平面５１ａに接触するように構成されている。そして、保持部材５２は、不図示のアクチュエータにより、平面５１ａにならって、光軸ＯＯと略垂直な方向に駆動が可能である。
【０００４】
そして、ブレ補正レンズ群Ｌ１は、不図示の振れ検出センサの出力に応じて、光軸ＯＯと略垂直な方向に駆動され、手振れによる像のブレを補正し、ブレのない写真を撮影することができる。
【０００５】
このブレ補正レンズ群Ｌ１は、ブレ補正をしない場合には、ブレ補正レンズ群Ｌ１の光軸とレンズ鏡筒の光軸ＯＯとが一致する状態で保持する。この理由は、光学系の性能をベストに維持するためと、レンズ鏡筒を持ち運ぶときに、ブレ補正レンズ群Ｌ１が動いてしまい、カタカタ音がして、撮影者に不快感を与えないためである。
【０００６】
ブレ補正レンズ群Ｌ１を所定の位置で保持するために、ベース部材５３でピン５７を保持し、保持部材５２の所定の位置にあけた孔５２ｂに、ピン５７を差し込んで、ブレ補正レンズ群Ｌ１を所定の位置で固定するロック機構が設けられている。
このピン５７は、ラッチソレノイド５４によって駆動される。ラッチソレノイド５４は、ビス５５によって、ベース部材５３に固定されている。このラッチソレノイド５４は、Ａ方向が解除方向、Ｂ方向がロック方向であり、ラッチソレノイド５４とピン５７は、不図示のシーソーレバーで連結されている。
【０００７】
ブレ補正レンズ群Ｌ１を所定の位置にロックする場合には、不図示のアクチュエータにより、ブレ補正レンズ群Ｌ１をロックしたい位置まで駆動する。その位置で、ラッチソレノイド５４に所定の電圧を印加すると、Ｂ方向に吸引され、ピン５７にかけたバネ５８にうち勝ち、ピン５７は、Ｂ方向に動き、ピン５７が孔５２ｂに挿入されて、ブレ補正レンズ群Ｌ１は、所定の位置にロックされる。
【０００８】
一方、ロックを解除する場合には、ラッチソレノイド５４に所定の電圧を印加して、吸着力をうち消すと、バネ５８の力量がうち勝ち、ピン５７は、Ｂ方向に駆動され、ブレ補正レンズ群Ｌ１は、ロックが解除され、光軸ＯＯと垂直な方向に駆動が可能となる。
【０００９】
【発明が解決しようとする課題】
前述した従来の技術では、ラッチソレノイド５４やピン５７のような部材は、外観上やゴースト、フレア等の問題から、光軸に露出させたくないので、遮蔽部５３ａのような、いわゆる「ぼろかくし」が必要となる。
【００１０】
しかし、遮蔽部５３ａの外周側は、ラッチソレノイド等のロック機構の部品があり、内周側は、光束で規制されるために、十分な肉厚を設定できず、強度が低下するという問題があった。
また、遮蔽部５３ａは、ブレ補正レンズ群Ｌ１を駆動したときの振動で共振して、音が発生したり、ブレ補正レンズ群Ｌ１の位置制御に悪影響を及ぼす危険があった。
【００１１】
本発明の目的は、上述した課題を解決して、ロック機構のアクチュエータを保持する部材の強度を上げるとともに、そのアクチュエータの配置のスペース効率を上げることがてきるレンズ鏡筒を提供することである。
【００１２】
【課題を解決するための手段】
前記課題を解決するために、請求項１の発明は、光軸に対して略垂直方向に移動することによりブレを補正するブレ補正レンズ（Ｌ１）と、前記ブレ補正レンズを支持するベース部材（３，１３）と、前記ブレ補正レンズの移動の制限をするロック機構（２０，４０）と、前記ロック機構を駆動するアクチュエータ（４，１４）と、前記ベース部材に延在し前記アクチュエータよりも前記光軸側に設けられる遮蔽部材（３ａ，１３ａ）と、前記遮蔽部材を補強すると共に前記アクチュエータを支持する補強リブ（３ｂ，１３ｂ）と、を備えるレンズ鏡筒である。
【００１３】
請求項２の発明は、請求項１に記載のレンズ鏡筒において、前記ブレ補正レンズの外周に設けられ、そのブレ補正レンズと一体的に移動し、前記ベース部材と重なり合う領域を有するツバ部（２）を更に備え、前記アクチュエータは、前記重なり合う領域を前記光軸方向に延長した空間に配置されることを特徴とするレンズ鏡筒である。
【００１４】
請求項３の発明は、請求項１又は請求項２に記載のレンズ鏡筒において、前記補強リブは、前記ベース部材付近で前記遮蔽部材に接合され、前記光軸方向に延在する矩形板状（３ｂ）であることを特徴とするレンズ鏡筒である。
【００１５】
請求項４の発明は、請求項１又は請求項２に記載のレンズ鏡筒において、前記補強ノブは、前記光軸を略中心とするリング状部材（１３ｂ）であり、前記ベース部材から離れて形成されることを特徴とするレンズ鏡筒。
【００１６】
【発明の実施の形態】
以下、図面などを参照しながら、本発明の実施の形態をあげて、さらに詳しく説明する。
（第１の実施形態）
図１，図２は、本発明によるレンズ鏡筒の第１の実施形態を示す図であって、図１は断面図（図２のＩ−Ｉ断面）、図２は側面図（光軸後方から見た図）である。
なお、以下に示す各実施形態では、前述した従来例と同様な機能を果たす部分には、末尾に共通した符号を付して、重複する説明を適宜省略する。従って、レンズ鏡筒の基本的な構造の説明は省略する。
第１実施形態のレンズ鏡筒は、主に、ブレ補正レンズ群Ｌ１と、保持部材２と、ベース部材３と、ラッチソレノイド４と、ロック機構２０などとを備えている。
【００１７】
ブレ補正レンズ群Ｌ１は、光軸に対して略垂直方向に移動することによりブレを補正する光学系であり、ベース部材３に支持されている。
保持部材２は、ブレ補正レンズ群Ｌ１の外周に設けられ、そのブレ補正レンズ群Ｌ１と一体的に移動し、ベース部材３と重なり合う領域を有するツバ部を備えている。ラッチソレノイド４は、この重なり合う領域を光軸方向に延長した空間に配置されている。
【００１８】
ロック機構２０は、ブレ補正レンズ群Ｌ１の移動を制限し、そのブレ補正レンズ群Ｌ１を所定の位置で保持する機構であり、保持部材２の所定の位置に形成された孔２ｂと、ベース部材３に保持され、孔２ｂに差し込まれてブレ補正レンズ群Ｌ１を所定の位置で固定するピン７と、ピン７をロック解除方向に付勢するバネ８と、ピン７をロック方向に駆動するアクチュエータであるラッチソレノイド４と、ラッチソレノイド４とピン７とを連結するシーソーレバー９等とを備えている。
このロック機構２０は、ブレ補正レンズ群Ｌ１の光軸と撮影光学系の光軸とが略一致する位置で、そのブレ補正レンズ群Ｌを保持する。
【００１９】
第１の実施形態では、図１，２に示すように、ラッチソレノイド４を保持するベース部材３に、このベース部材３に延在しラッチソレノイド４よりも光軸側に設けられる遮蔽部３ａと、遮蔽部３ａを補強する複数の補強リブ３ｂとを設け、その１つの補強リブ３ｂ−１に、ラッチソレノイド４をビス５で側面から固定している。
この補強リブ３ｂは、ベース部材３付近で遮蔽部３ａに接合され、光軸方向に延在する矩形板状（図１）である。この補強リブ３ｂは、遮蔽部３ｂの外周側の複数箇所（この実施形態では、７箇所）に、略放射方向に向かって設けられている。
【００２０】
第１の実施形態によれば、遮蔽部３ａを補強する補強リブ３ｂを設けたので、ラッチソレノイド４を保持するベース部材３に十分な強度を与えることができ、さらに、駆動の振動による音の発生、位置制御の劣化等の問題が発生しない。
また、補強リブ３ｂの１つでラッチソレノイド４を保持しているので、専用のラッチソレノイド保持部を設ける必要がなく、スペース効率がよい。
【００２１】
（第２の実施形態）
図３，図４は、本発明によるレンズ鏡筒の第２の実施形態を示す図であって、図３は断面図（図４のIII −III 断面）、図４は側面図（光軸後方から見た図）である。
第２の実施形態は、図３，４に示すように、ラッチソレノイド１４を保持するベース部材１３に、遮蔽部１３ａを補強する補強リブ１３ｂを円周方向に設け、それにラッチソレノイド１４を、補強リブ１３ｂの後方からビス１５で固定している。この補強ノブ１３ｂは、光軸を略中心とするリング状部材であり、遮蔽部１３ａの外周であって、ベース部材１３から離れて形成される。
【００２２】
第２の実施形態によれば、第１の実施形態の効果に加え、リング状部材を設けたので、光軸回りの捩れにも、強くなるという効果がある。
【００２３】
以上説明した実施形態に限定されることなく、種々の変形や変更が可能であって、それらも本発明の均等の範囲内である。
例えば、補強リブの形状は、矩形に限らず、三角形状等の他の形状でもよい。
また、アクチュエータは、他の形式のモータであってもよいし、アクチュエータの取付姿勢も、図示したものに限定されない。
【００２４】
【発明の効果】
以上のように、本発明によれば、ラッチソレノイド等のアクチュエータを保持するベース部材の遮蔽部材に補強リブを設けたので、十分な強度を与えることができ、さらに、駆動の振動による音の発生や、位置制御の劣化等を起こすことはなくなった。
また、補強リブでアクチュエータを保持しているので、専用の保持部を設ける必要がなく、スペース効率がよい。
【図面の簡単な説明】
【図１】本発明によるレンズ鏡筒の第１の実施形態を示す断面図である。
【図２】本発明によるレンズ鏡筒の第１の実施形態を示す側面図（光軸後方から見た図）である。
【図３】本発明によるレンズ鏡筒の第２の実施形態を示す断面図である。
【図４】本発明によるレンズ鏡筒の第２の実施形態を示す側面図（光軸後方から見た図）である。
【図５】ブレ補正機能を有するレンズ鏡筒のブレ補正レンズ群とそれを駆動する駆動ユニットの従来例を示す断面図である。
【符号の説明】
Ｌ１  ブレ補正レンズ群
１，１１  ベース部材
１ａ，１１ａ  平面
２，１２  保持部材
２ａ，１２ａ  突起
２ｂ，１２ｂ  孔
３，１３  ベース部材
３ａ，１３ａ  遮蔽部
３ｂ，１３ｂ  補強リブ
４，１４  ラッチソレノイド
５，１５  ビス
６，１６  ビス
７，１７  ピン
８，１８  バネ
９，１９  シーソーレバー
【図１】
0004572458.tif 000002
【図２】
0004572458.tif 000003
【図３】
0004572458.tif 000004
【図４】
0004572458.tif 000005
【図５】
0004572458.tif 000006